(57)【特許請求の範囲】
【請求項１】
第１の記録媒体から、少なくともディジタルオーディオ信号を再生するオーディオ再生手段と、
前記オーディオ再生手段により再生されたオーディオ信号の符号化方式が第１の符号化方式であるときに、前記オーディオ再生手段により再生されたディジタルオーディオ信号をそのまま伝送し、前記第１の符号化方式とは異なる第２の符号化方式であるときに、前記オーディオ再生手段により再生されたディジタルオーディオ信号をデコードして伝送するデコード手段と、
前記デコード手段により伝送されたオーディオ信号が入力され、第２の記録媒体に録音するオーディオ録音手段とを備え、
前記デコード手段は、前記オーディオ再生手段により再生されたオーディオ信号の符号化方式が変更されたことを検出して、デコード処理を実行するか否かを切り換える切換制御手段を備え、
前記オーディオ録音手段は、前記切換制御手段が符号化方式の変更を検出すると、前記第２の記録媒体に録音中のオーディオトラックを削除して、前記第２の記録媒体への録音を一旦停止する、
ことを特徴とするオーディオ再生録音システム。
【請求項２】
前記オーディオ録音手段は、前記第２の記録媒体への録音を一旦停止すると、再生中のオーディオトラックの先頭からオーディオ信号の再生をやり直す旨の制御情報を前記オーディオ再生手段に送り、
前記オーディオ再生手段は、前記オーディオ録音手段から送られた制御情報に従って、前記第１の記録媒体から再生中のオーディオトラックの先頭にスキップしてオーディオ信号を再生する、
ことを特徴とする請求項１に記載のオーディオ再生録音システム。
【請求項３】
前記オーディオ録音手段は、前記オーディオ再生手段がオーディオトラックの先頭にスキップして再生したオーディオ信号に同期して、前記第２の記録媒体への録音を再開する、
ことを特徴とする請求項２に記載のオーディオ再生録音システム。
【請求項４】
前記第１の符号化方式は、２つのチャネルのオーディオ信号を符号化する符号化方式であり、
前記第２の符号化方式は、２より大なるマルチチャネルのオーディオ信号を符号化する符号化方式であり、
前記デコード手段は、前記オーディオ再生手段により再生されたディジタルオーディオ信号の符号化方式が前記第２の符号化方式であるときに、前記オーディオ再生手段により再生されたマルチチャネルのディジタルオーディオ信号を２つのチャネルのディジタルオーディオ信号に変換する信号処理手段を備える、
ことを特徴とする請求項１、２又は３に記載のオーディオ再生録音システム。
【請求項５】
前記デコード手段は、前記オーディオ再生手段により再生されたオーディオ信号の符号化方式が前記第２の符号化方式であるときに、デコードしたディジタルオーディオ信号をアナログ化若しくはＰＣＭ信号化する信号変換手段を備え、
前記オーディオ録音手段は、符号化方式が前記第１の符号化方式から前記第２の符号化方式に変更されたことを前記切換制御手段が検出すると、前記信号変換手段によりアナログ化若しくはＰＣＭ信号化されたオーディオ信号を前記第２の記録媒体に録音するための信号として受信する、
ことを特徴とする請求項１、２又は３に記載のオーディオ再生録音システム。
【請求項６】
前記第１の符号化方式は、２つのチャネルのオーディオ信号を符号化する符号化方式であり、
前記第２の符号化方式は、２より大なるマルチチャネルのオーディオ信号を符号化する符号化方式であり、
前記デコード手段は、前記オーディオ再生手段により再生されたディジタルオーディオ信号の符号化方式が前記第２の符号化方式であるときに、前記オーディオ再生手段により再生されたマルチチャネルのディジタルオーディオ信号を２つのチャネルのディジタルオーディオ信号に変換してから前記信号変換手段に入力する信号処理手段を備える、
ことを特徴とする請求項５に記載のオーディオ再生録音システム。
【請求項７】
第１の記録媒体から、少なくともディジタルオーディオ信号を再生するオーディオ再生ステップと、
前記オーディオ再生ステップにて再生したオーディオ信号の符号化方式が第１の符号化方式であるときに、前記オーディオ再生ステップにて再生したディジタルオーディオ信号をそのまま伝送する直接伝送ステップと、
前記オーディオ再生ステップにて再生したオーディオ信号の符号化方式が前記第１の符号化方式とは異なる第２の符号化方式であるときに、前記オーディオ再生ステップにて再生したディジタルオーディオ信号をデコードして伝送するデコード伝送ステップと、
前記直接伝送ステップ又は前記デコード伝送ステップにて伝送したオーディオ信号を受信して、第２の記録媒体に録音するオーディオ録音ステップと、
前記オーディオ再生ステップにて再生したオーディオ信号の符号化方式が変更されたことを検出し、前記直接伝送ステップにてオーディオ信号を伝送するか、前記デコード伝送ステップにてオーディオ信号を伝送するかを切り換える切換制御ステップを備え、
前記オーディオ録音ステップは、前記切換制御ステップにて符号化方式の変更を検出すると、前記第２の記録媒体に録音中のオーディオトラックを削除して前記第２の記録媒体への録音を一旦停止し、
前記オーディオ再生ステップは、前記オーディオ録音ステップにて前記第２の記録媒体への録音が一旦停止されると、前記第１の記録媒体から再生中のオーディオトラックの先頭にスキップしてオーディオ信号を再生する、
ことを特徴とするオーディオ再生録音方法。
【請求項８】
前記オーディオ録音ステップは、前記オーディオ再生ステップにてオーディオトラックの先頭にスキップして再生したオーディオ信号に同期して、前記第２の記録媒体への録音を再開する、
ことを特徴とする請求項７に記載のオーディオ再生録音方法。
【請求項９】
前記第１の符号化方式は、２つのチャネルのオーディオ信号を符号化する符号化方式であり、
前記第２の符号化方式は、２より大なるマルチチャネルのオーディオ信号を符号化する符号化方式であり、
前記デコード伝送ステップは、前記オーディオ再生ステップにて再生したマルチチャネルのディジタルオーディオ信号を２つのチャネルのディジタルオーディオ信号に変換する信号処理ステップを備える、
ことを特徴とする請求項７又は８に記載のオーディオ再生録音方法。
【発明の詳細な説明】
【０００１】
【発明の属する技術分野】
この発明は、ある記録媒体から再生したオーディオ信号を別の記録媒体に記録するオーディオ再生録音システムに係り、特に、複数の異なる符号化方式に合わせて適切に再生及び録音することができるオーディオ再生録音システムに関する。
【０００２】
【従来の技術】
例えば、ＣＤ（Compact Disc）やＤＶＤ（Digital Versatile Disc）といったディスク状の記録媒体にディジタル記録されている音楽等のオーディオ信号を再生する際には、記録されているオーディオ信号の符号化方式に合わせたデコード処理を実行する。
例えば、従来から存在するＣＤ等には、ＰＣＭ（Pulse Code Modulation）方式により符号化されたオーディオ信号が記録されており、再生装置は、ＰＣＭ方式に合わせたデコード処理を実行することにより、オーディオ信号を再生して音声を出力することができる。
【０００３】
また、例えばＤＴＳ（Digital Theater System）方式等のマルチチャネル符号化方式やＡＴＲＡＣ（Adaptive Transform Acoustic Coding）方式等の圧縮符号化方式といった、様々な新しい符号化方式による符号化をオーディオ信号に施して光ディスク等に記録する技術が知られている。
【０００４】
図５は、従来の光ディスク等の記録媒体からオーディオ信号を再生して別の記録媒体に記録するオーディオ再生録音システムの構成を例示する図である。
図５に示す構成において、ユーザは、例えば、ユーザＩ／Ｆ（インタフェース）１１５により、アナログＩ／Ｆ（インタフェース）１１８とディジタルＩ／Ｆ（インタフェース）１１９のうちのいずれかを録音装置１０２の入力端として選択する。
こののち、ユーザは、ユーザＩ／Ｆ１１０、１１５等を操作して、シンクロ録音等の実行を指示し、再生処理部１１２が再生したオーディオ信号を、録音処理部１１７により、例えばＭＤといった書込可能な記録媒体に記録させる。
【０００５】
【発明が解決しようとする課題】
上記従来技術では、新しい符号化方式に対応していない再生装置や記録装置を用いた場合に、記録媒体から再生したオーディオ信号を別の記録媒体に正しく記録できないことがあった。
【０００６】
例えば、ＤＴＳ方式による符号化が施されたオーディオ信号を再生して別の記録媒体に記録する場合、図５に示す従来の再生装置１０１がＤＴＳ方式に対応したデコーダを搭載していないと、アナログＩ／Ｆ１１３の出力はノイズとなり、正しく録音することができない。
また、例えばディジタルＩ／Ｆ１１４から出力されるディジタルオーディオ信号をディジタルＩ／Ｆ１１９に入力してＭＤに記録する場合、ＡＴＲＡＣ（Adaptive Transform Acoustic Coding）方式により不可逆のデータ圧縮を施すため、ＤＴＳ方式により符号化されたオーディオ信号を再生することができなくなる。
【０００７】
こうした問題は、再生されたオーディオ信号を記録する記録媒体がＭＤのように圧縮されたデータを記録する場合に限られない。すなわち、例えばＣＤ−Ｒ（Compact Disc-Recordable）のような記録媒体に記録する場合にも、サンプリング周波数が異なると、Ｆｓコンバータ（サンプリングレート・コンバータ）を通すことにより、オーディオ信号のデコードが不可能となる。
【０００８】
この発明は、上記実状に鑑みてなされたものであり、ある記録媒体に記録されているオーディオ信号を、その符号化方式に合わせて適切に再生し、別の記録媒体に記録することができるオーディオ再生録音システムを提供することを目的とする。
【０００９】
【課題を解決するための手段】
上記目的を達成するため、この発明の第１の観点に係るオーディオ再生録音システムは、
第１の記録媒体から、少なくともディジタルオーディオ信号を再生するオーディオ再生手段と、
前記オーディオ再生手段により再生されたオーディオ信号の符号化方式が第１の符号化方式であるときに、前記オーディオ再生手段により再生されたディジタルオーディオ信号をそのまま伝送し、前記第１の符号化方式とは異なる第２の符号化方式であるときに、前記オーディオ再生手段により再生されたディジタルオーディオ信号をデコードし、アナログ化して伝送するデコード手段と、
前記デコード手段により伝送されたオーディオ信号が入力され、第２の記録媒体に録音するオーディオ録音手段とを備え、
前記デコード手段は、前記オーディオ再生手段により再生されたオーディオ信号の符号化方式が変更されたことを検出して、デコード処理を実行するか否かを切り換える切換制御手段を備え、
前記オーディオ録音手段は、前記切換制御手段が符号化方式の変更を検出すると、前記第２の記録媒体に録音中のオーディオトラックを削除して、前記第２の記録媒体への録音を一旦停止する、
ことを特徴とする。
【００１０】
この発明によれば、デコード手段は、オーディオ再生手段により再生されたオーディオ信号の符号化方式が第１の符号化方式であるときに、オーディオ信号をそのまま伝送し、第２の符号化方式であるときに、ディジタルオーディオ信号をデコードして伝送する。
このように、オーディオ信号に施された符号化方式に合わせてデコード処理を切り換えて伝送することで、オーディオ録音手段は、第２の記録媒体に適切に録音することができる。
これにより、複数の異なる符号化方式に合わせて適切に再生及び録音することができる。
ここで、デコード処理を切り換える際には、大音量のノイズが発生することがある。
また、符号化方式が変更されてからそれを検出し、デコード処理を切り換えるまでに時間を要する場合、その間正しく録音されず、曲の先頭が切れてしまうことになる。
そこで、オーディオ録音手段は、切換制御手段が符号化方式の変更を検出すると、第２の記録媒体に録音中のオーディオトラックを削除して、第２の記録媒体への録音を一旦停止することにより、デコード処理を切り換える際のノイズが録音されることや曲の頭切れを防止でき、適切に録音することができる。
【００１２】
また、前記オーディオ録音手段は、前記第２の記録媒体への録音を一旦停止すると、再生中のオーディオトラックの先頭からオーディオ信号の再生をやり直す旨の制御情報を前記オーディオ再生手段に送り、
前記オーディオ再生手段は、前記オーディオ録音手段から送られた制御情報に従って、前記第１の記録媒体から再生中のオーディオトラックの先頭にスキップしてオーディオ信号を再生することが望ましい。
さらに、前記オーディオ録音手段は、前記オーディオ再生手段がオーディオトラックの先頭にスキップして再生したオーディオ信号に同期して、前記第２の記録媒体への録音を再開することが望ましい。
これにより、曲の頭切れを防止して、適切に録音することができる。
加えて、前記第１の符号化方式は、２つのチャネルのオーディオ信号を符号化する符号化方式であり、
前記第２の符号化方式は、２より大なるマルチチャネルのオーディオ信号を符号化する符号化方式であり、
前記デコード手段は、前記オーディオ再生手段により再生されたディジタルオーディオ信号の符号化方式が前記第２の符号化方式であるときに、前記オーディオ再生手段により再生されたマルチチャネルのディジタルオーディオ信号を２つのチャネルのディジタルオーディオ信号に変換する信号処理手段を備えることが望ましい。
【００１３】
前記デコード手段は、前記オーディオ再生手段により再生されたオーディオ信号の符号化方式が前記第２の符号化方式であるときに、デコードしたディジタルオーディオ信号をアナログ化若しくはＰＣＭ信号化する信号変換手段を備え、
前記オーディオ録音手段は、符号化方式が前記第１の符号化方式から前記第２の符号化方式に変更されたことを前記切換制御手段が検出すると、前記信号変換手段によりアナログ化若しくはＰＣＭ信号化されたオーディオ信号を前記第２の記録媒体に録音するための信号として受信することが望ましい。
このようにすることで、ディジタルオーディオ信号が例えばＤＴＳ方式による符号化が施されている場合でも、一旦アナログ化やＰＣＭ信号化することにより、例えばＡＴＲＡＣ方式などによりデータ圧縮して録音したオーディオ信号を正しく再生することができる。
【００１４】
また、前記第１の符号化方式は、２つのチャネルのオーディオ信号を符号化する符号化方式であり、
前記第２の符号化方式は、２より大なるマルチチャネルのオーディオ信号を符号化する符号化方式であり、
前記デコード手段は、前記オーディオ再生手段により再生されたディジタルオーディオ信号の符号化方式が前記第２の符号化方式であるときに、前記オーディオ再生手段により再生されたマルチチャネルのディジタルオーディオ信号を２つのチャネルのディジタルオーディオ信号に変換してから前記信号変換手段に入力する信号処理手段を備えることが望ましい。
【００１５】
また、この発明の第２の観点に係るオーディオ再生録音方法は、
第１の記録媒体から、少なくともディジタルオーディオ信号を再生するオーディオ再生ステップと、
前記オーディオ再生ステップにて再生したオーディオ信号の符号化方式が第１の符号化方式であるときに、前記オーディオ再生ステップにて再生したディジタルオーディオ信号をそのまま伝送する直接伝送ステップと、
前記オーディオ再生ステップにて再生したオーディオ信号の符号化方式が前記第１の符号化方式とは異なる第２の符号化方式であるときに、前記オーディオ再生ステップにて再生したディジタルオーディオ信号をデコードして伝送するデコード伝送ステップと、
前記直接伝送ステップ又は前記デコード伝送ステップにて伝送したオーディオ信号を受信して、第２の記録媒体に録音するオーディオ録音ステップと、
前記オーディオ再生ステップにて再生したオーディオ信号の符号化方式が変更されたことを検出し、前記直接伝送ステップにてオーディオ信号を伝送するか、前記デコード伝送ステップにてオーディオ信号を伝送するかを切り換える切換制御ステップを備え、
前記オーディオ録音ステップは、前記切換制御ステップにて符号化方式の変更を検出すると、前記第２の記録媒体に録音中のオーディオトラックを削除して前記第２の記録媒体への録音を一旦停止し、
前記オーディオ再生ステップは、前記オーディオ録音ステップにて前記第２の記録媒体への録音が一旦停止されると、前記第１の記録媒体から再生中のオーディオトラックの先頭にスキップしてオーディオ信号を再生する、
ことを特徴とする。
【００１６】
この発明によれば、オーディオ再生ステップにて再生したオーディオ信号の符号化方式が第１の符号化方式であるときには、直接伝送ステップにてオーディオ信号をそのまま伝送し、第２の符号化方式であるときには、デコード伝送ステップにてディジタルオーディオ信号をデコードし、アナログ化して伝送する。オーディオ録音ステップは、直接伝送ステップ又はデコード伝送ステップにて伝送されたオーディオ信号を受信して、第２の記録媒体に録音する。
これにより、オーディオ信号の符号化方式に合わせてデコード処理を切り換えて、第２の記録媒体に録音することができ、適切な再生及び録音が可能となる。
また、オーディオ録音ステップは、切換制御ステップにて符号化方式の変更を検出すると、第２の記録媒体に録音中のオーディオトラックを削除して第２の記録媒体への録音を一旦停止することにより、デコード処理を切り換える際に発生するノイズが録音されることを防止して、適切に再生及び録音することができる。
【００１８】
前記オーディオ録音ステップは、前記オーディオ再生ステップにてオーディオトラックの先頭にスキップして再生したオーディオ信号に同期して、前記第２の記録媒体への録音を再開することが望ましい。
【００１９】
また、前記第１の符号化方式は、２つのチャネルのオーディオ信号を符号化する符号化方式であり、
前記第２の符号化方式は、２より大なるマルチチャネルのオーディオ信号を符号化する符号化方式であり、
前記デコード伝送ステップは、前記オーディオ再生ステップにて再生したマルチチャネルのディジタルオーディオ信号を２つのチャネルのディジタルオーディオ信号に変換する信号処理ステップを備えることが望ましい。
【００２０】
【発明の実施の形態】
以下に、図面を参照して、この発明の実施の形態に係るオーディオ再生録音システムについて詳細に説明する。
【００２１】
図１は、この発明の実施の形態に係るオーディオ再生録音システムの構成の一例を示す図である。
図示するように、このオーディオ再生録音システムは、例えばＣＤ（Compact Disc）といったディスク状の記録媒体を再生するディスク再生装置１と、デコード装置２と、例えばＭＤ（Mini Disc）といった書込可能な記録媒体にオーディオ信号等を記録するＭＤ記録装置３とを備えている。
【００２２】
ディスク再生装置１は、ＣＤやＤＶＤ（Digital Versatile Disc）等といったディスク状の記録媒体を再生するためのものであり、ユーザＩ／Ｆ（インタフェース）１０と、ＣＰＵ（Central Processing Unit）１１と、ディスク再生処理部１２と、アナログＩ／Ｆ（インタフェース）１３と、ディジタルＩ／Ｆ（インタフェース）１４とを備えて構成される。
【００２３】
ユーザＩ／Ｆ１０は、例えばキーパッドやリモコン・ユニット及びＬＣＤ（Liquid Crystal Display）パネル等から構成され、ユーザからの指示を示す指示情報をＣＰＵ１１に入力し、ＣＰＵ１１の制御に従った画像等を表示する。
【００２４】
ＣＰＵ１１は、例えばＲＡＭ（Random Access Memory）及びＲＯＭ（Read Only Memory）を備えたマイクロプロセッサ等から構成され、ディスク再生装置１全体の動作を制御するためのものである。
例えば、ＣＰＵ１１は、ユーザＩ／Ｆ１０から入力された指示情報に従ってディスク再生処理部１２を制御し、記録媒体からオーディオ信号を再生させる。また、ＣＰＵ１１は、ディスク再生処理部１２が記録媒体から読み出したＴＯＣ（Table Of Contents）等に基づいてユーザＩ／Ｆ１０を制御し、例えば楽曲のトラック番号を示す画像等を表示させる。
ここで、ＣＰＵ１１は、ディスク再生処理部１２が記録媒体からオーディオ信号等を再生する際に、デコード装置２が備えるＣＰＵ１６やＭＤ記録装置３が備えるＣＰＵ２２との間で通信を行い、再生したオーディオ信号の符号化方式を示す情報や再生動作を指示する制御情報等を送受信する。
【００２５】
ディスク再生処理部１２は、例えばディスク状の記録媒体を読み取ってオーディオ信号等を再生するためのものである。ディスク再生処理部１２は、記録媒体から再生したアナログオーディオ信号を、アナログＩ／Ｆ１３を介してデコード装置２に送る。また、ディスク再生処理部１２は、記録媒体から再生したディジタルオーディオ信号を、ディジタルＩ／Ｆ１４を介してデコード装置２に送る。
【００２６】
アナログＩ／Ｆ１３は、デコード装置２が備えるアナログＩ／Ｆ２０とアナログ信号の伝送ラインにより接続され、ディスク再生処理部１２が再生したアナログオーディオ信号をデコード装置２に送る。
【００２７】
ディジタルＩ／Ｆ１４は、デコード装置２が備えるディジタルＩ／Ｆ１７とディジタル信号の伝送ラインにより接続され、ディスク再生処理部１２が再生したディジタルオーディオ信号をデコード装置２に送る。
【００２８】
デコード装置２は、ディスク再生装置１から受けたオーディオ信号をデコードするなどの処理を実行するためのものであり、ユーザＩ／Ｆ１５と、ＣＰＵ１６と、ディジタルＩ／Ｆ（インタフェース）１７と、デコード処理部１８と、ＤＡＣ（Digital/Analog Converter）１９と、アナログＩ／Ｆ（インタフェース）２０とを備えて構成される。
【００２９】
ユーザＩ／Ｆ１５は、例えばキーパッドやリモコン・ユニット及びＬＣＤパネル等から構成され、ユーザからの指示を示す指示情報をＣＰＵ１６に入力し、ＣＰＵ１６の制御に従った画像等を出力する。
【００３０】
ＣＰＵ１６は、デコード装置２全体の動作を制御するためのものである。
ここで、ＣＰＵ１６は、ディスク再生装置１が再生したオーディオ信号の符号化方式を、例えばディジタルＩ／Ｆ１７に入力されたディジタルオーディオ信号のフォーマット等から特定し、符号化方式に合わせてオーディオ信号に施すデコード処理等の変換を行う。
例えば、ＣＰＵ１６は、ディジタルＩ／Ｆ１７がディスク再生装置１から受けたディジタルオーディオ信号の符号化方式がＤＴＳ（Digital Theater System）方式であると特定すると、ディジタルＩ／Ｆ１７に入力されたディジタルオーディオ信号をデコード処理部１８に入力させる。一方、ディジタルＩ／Ｆ１７に入力されたディジタルオーディオ信号の符号化方式がＰＣＭ（Pulse Code Modulation）方式であると特定すると、ＣＰＵ１６は、ディジタルＩ／Ｆ１７に入力されたディジタルオーディオ信号をそのままＭＤ記録装置３に伝送させる。また、ＣＰＵ１６は、ディジタルＩ／Ｆ１７にディジタルオーディオ信号が入力されず、アナログＩ／Ｆ２０にアナログオーディオ信号が入力される場合には、これをそのままＭＤ記録装置３に伝送させる。
【００３１】
ディジタルＩ／Ｆ１７は、ディスク再生装置１が備えるディジタルＩ／Ｆ１４から出力されたディジタルオーディオ信号を受け、ＣＰＵ１６の制御に従ってデコード処理部１８に入力する。
また、ディジタルＩ／Ｆ１７は、ＭＤ記録装置３が備えるディジタルＩ／Ｆ２５とディジタル信号の伝送ラインにより接続され、ＣＰＵ１６の制御に従って、ディスク再生装置１から受けたディジタルオーディオ信号を、そのままＭＤ記録装置３に伝送する。
【００３２】
デコード処理部１８は、例えばＤＳＰ（Digital Signal Processor）等から構成され、ディジタルＩ／Ｆ１７から受けたディジタルオーディオ信号をデコードするなどの信号処理を実行するためのものである。
例えば、デコード処理部１８は、ＤＴＳ方式による符号化が施された２より大なるマルチチャネルのオーディオ信号を受けると、ダウンミキシングにより２つのチャネルのオーディオ信号に変換するための処理等を実行する。
【００３３】
ＤＡＣ１９は、デコード処理部１８がデコードしたオーディオ信号をアナログ化するためのものであり、アナログ化により生成されたアナログオーディオ信号を、アナログＩ／Ｆ２０を介してＭＤ記録装置３に送る。
【００３４】
アナログＩ／Ｆ２０は、ＭＤ記録装置３が備えるアナログＩ／Ｆ２４とアナログ信号の伝送ラインにより接続され、ディスク再生装置１が備えるアナログＩ／Ｆ１３、又はＤＡＣ１９から受けたアナログオーディオ信号を、ＭＤ記録装置３に送る。
【００３５】
ＭＤ記録装置３は、例えばＭＤといった書込可能な記録媒体に音声情報を記録するためのものであり、ユーザＩ／Ｆ２１と、ＣＰＵ２２と、ＭＤ記録処理部２３と、アナログＩ／Ｆ（インタフェース）２４と、ディジタルＩ／Ｆ（インタフェース）２５とを備えて構成される。
【００３６】
ユーザＩ／Ｆ２１は、ユーザからの指示を示す指示情報をＣＰＵ２２に入力し、ＣＰＵ２２の制御に従った画像等を表示する。
【００３７】
ＣＰＵ２２は、ディスク再生装置１が備えるＣＰＵ１１や、デコード装置２が備えるＣＰＵ１６との間で通信を行い、ＭＤ記録装置３全体の動作を制御するためのものである。
例えば、ＣＰＵ２２は、デコード装置２が備えるＣＰＵ１６より、オーディオ信号の符号化方式がＰＣＭ方式からＤＴＳ方式に変わった旨の情報を受けると、ＭＤ記録処理部２３を制御して、アナログＩ／Ｆ２４に入力されたアナログオーディオ信号のみを取り込んでＭＤ等の記録媒体に記録させる。
【００３８】
ＭＤ記録処理部２３は、アナログＩ／Ｆ２４あるいはディジタルＩ／Ｆ２５を介してデコード装置２から受けたオーディオ信号を調整し、例えばＭＤといった書込可能な記録媒体に記録するためのものである。
例えば、ＭＤ記録処理部２３は、アナログＩ／Ｆ２４を介してデコード装置２から受けたアナログオーディオ信号をディジタル化して圧縮符号化等の処理を実行したのち、ＭＤ等の記録媒体に記録する。
【００３９】
アナログＩ／Ｆ２４は、デコード装置２から送られたアナログオーディオ信号をＭＤ記録処理部２３に入力するためのものである。
【００４０】
ディジタルＩ／Ｆ２５は、デコード装置２から送られたディジタルオーディオ信号をＭＤ記録処理部２３に入力するためのものである。
【００４１】
以下に、この発明の実施の形態に係るオーディオ再生録音システムの動作を説明する。
このオーディオ再生録音システムは、ディスク再生装置１が備えるＣＰＵ１１とデコード装置２が備えるＣＰＵ１６及び、ＭＤ記録装置３が備えるＣＰＵ２２とが互いに通信を行って、オーディオ信号の符号化方式を示す情報等を送受信することにより、オーディオ信号の符号化方式に合わせて適切に再生及び録音できるシステムである。
【００４２】
まず、ディスク再生装置１が備えるディスク再生処理部１２が、ＰＣＭ方式により符号化されたオーディオ信号を再生するものとする。
この場合、デコード装置２は、デコード処理を実行する必要はなく、ディスク再生装置１とＭＤ記録装置３が従来と同様に動作することで、オーディオ信号をＭＤ等の記録媒体に記録することができる。
【００４３】
すなわち、デコード装置２において、ＣＰＵ１６は、ディジタルＩ／Ｆ１７を制御して、ディスク再生装置１から受けたディジタルオーディオ信号を、そのままＭＤ記録装置３に伝送する。また、ＣＰＵ１６は、アナログＩ／Ｆ２０を制御して、ディスク再生装置１から受けたアナログオーディオ信号を、そのままＭＤ記録装置３に伝送する。
【００４４】
ＭＤ記録装置３において、ＣＰＵ２２は、例えばユーザＩ／Ｆ２１から入力された指示情報に従ってＭＤ記録処理部２３を制御することにより、アナログＩ／Ｆ２４から入力されたアナログオーディオ信号とディジタルＩ／Ｆ２５から入力されたディジタルオーディオ信号のいずれかを選択させる。ＭＤ記録処理部２３は、例えばＡＴＲＡＣ（Adaptive Transform Acoustic Coding）方式に従った圧縮符号化等の処理を実行して、選択したオーディオ信号を調整し、ＭＤ等の記録媒体に記録する。
【００４５】
このオーディオ再生録音システムは、こうしたオーディオ信号を再生及び録音する際に、図２のフローチャートに示す処理を実行する。
すなわち、例えばＰＣＭ方式による符号化が施されたオーディオ信号を再生及び録音しているときに、デコード装置２が備えるＣＰＵ１６は、ディスク再生装置１が再生したオーディオ信号の符号化方式がＰＣＭ方式であるか否かを判別する（ステップＳ１）。
この際、ＣＰＵ１６は、例えば、ディスク再生装置１が備えるＣＰＵ１１から送られた情報や、ディジタルＩ／Ｆ１７に入力されたディジタルオーディオ信号等から、オーディオ信号の符号化方式がＰＣＭ方式であることを特定する。
【００４６】
ＣＰＵ１６は、オーディオ信号の符号化方式がＰＣＭ方式であると判別すると（ステップＳ１にてＹＥＳ）、ループ処理を実行して、ディスク再生装置１により再生されたオーディオ信号を、そのままＭＤ記録装置３に送り、ＭＤといった記録媒体に記録させる。
【００４７】
一方、ＣＰＵ１６は、オーディオ信号の符号化方式がＰＣＭ方式ではないと判別すると（ステップＳ１にてＮＯ）、ディジタルＩ／Ｆ１７の動作を切り換えて、ディスク再生装置１から送られたディジタルオーディオ信号をデコード処理部１８に入力させる。すなわち、ＣＰＵ１６は、デコード装置２が実行するデコード処理を切り換える（ステップＳ２）。
【００４８】
この際、ＣＰＵ１６は、ディスク再生装置１が備えるＣＰＵ１１から送られた情報やディジタルＩ／Ｆ１７に入力されたディジタルオーディオ信号等から符号化方式を特定し、デコード処理部１８を制御して、ディジタルオーディオ信号をデコードするための処理を実行させる。
例えば、ＣＰＵ１６は、デコード処理部１８を制御して、ＤＴＳ方式による符号化が施されたマルチチャネルのオーディオ信号をダウンミキシングさせて、２つのチャネルのオーディオ信号に変換させる（ステップＳ３）。
【００４９】
また、ＣＰＵ１６は、アナログＩ／Ｆ２０の動作を切り換えて、ＤＡＣ１９がアナログ化することにより生成されたアナログオーディオ信号をＭＤ記録装置３に伝送させる（ステップＳ４）。
これにより、ＰＣＭ方式以外の符号化方式による符号化が施されたディジタルオーディオ信号は、デコード処理部１８によりデコードされたのち、ＤＡＣ１９によりアナログ化されてアナログオーディオ信号となり、アナログＩ／Ｆ２０からＭＤ記録装置３に送られる。
【００５０】
加えて、ＣＰＵ１６は、符号化方式がＰＣＭ方式からＰＣＭ方式以外の符号化方式、例えばＤＴＳ方式、となったことを検出すると、特定した新たな符号化方式をＭＤ記録装置３が備えるＣＰＵ２２に通知する。
この際、ＣＰＵ１６は、上述のようにデコード装置２全体の動作を切り換えて新たな符号化方式に対応したデコード処理を実行する。
このため、符号化方式が変化した直後は、大音量のノイズが出力されることがある。
また、符号化方式の変化に合わせてデコード処理を切り換えるまでに時間を要する場合、デコード処理を切り換える間は正しく録音することができず、楽曲等の先頭部分が切れてしまう頭切れを起こすことがある。
【００５１】
そこで、ＭＤ記録装置３が備えるＣＰＵ２２は、デコード装置２が備えるＣＰＵ１６から新たな符号化方式の通知を受けると、ＭＤ記録処理部２３を制御して、現在録音中のトラックを削除させ、録音を一旦停止させる（ステップＳ５）。なお、ここでのトラックとは、例えば楽曲１曲分に相当するオーディオ信号ごとに対応したトラック番号が付され、サブコード信号等により識別可能なオーディオトラックである。
【００５２】
こののち、ＣＰＵ２２は、ＭＤ記録処理部２３を制御して、録音用のオーディオ信号の入力端をアナログＩ／Ｆ２４に切り換える（ステップＳ６）。
これにより、ＭＤ記録装置３は、シンクロ録音の待機状態となり、アナログＩ／Ｆ２４にアナログオーディオ信号が入力されたことに反応して自動的に録音を開始することができる。
また、この際、ＣＰＵ２２は、ディスク再生装置１が備えるＣＰＵ１１に、現在再生中のトラック（楽曲）の先頭からオーディオ信号の再生をやり直す旨の、再生動作を指示する制御情報を送信する。
【００５３】
ＣＰＵ１１は、ＭＤ記録装置３が備えるＣＰＵ２２から受けた制御情報に従って、現在再生中のトラック（楽曲）の先頭にスキップする（ステップＳ７）。
こうしてトラック（楽曲）の先頭から再びオーディオ信号が再生されると、デコード装置２によりデコード及びアナログ化されたオーディオ信号をＭＤ記録装置３が受信し、シンクロ録音が開始される（ステップＳ８）。
これにより、符号化方式の変更に伴うデコード処理の変換によって生じるノイズが録音されることや頭切れを防止して、オーディオ信号を適切に再生及び録音することができる。
【００５４】
このようにアナログ化されたオーディオ信号をＭＤ記録装置３に入力して録音することで、例えばディスク再生装置１が再生したオーディオ信号がＤＴＳ方式により符号化されている場合でも、ＡＴＲＡＣ方式によりデータ圧縮してＭＤに録音したオーディオ信号を正しく再生することができる。
【００５５】
以上述べた処理により新たな符号化方式に合わせたオーディオ信号の再生及び録音が開始されると、このオーディオ再生録音システムは、図３のフローチャートに示す処理を実行する。
すなわち、例えばＤＴＳ方式による符号化が施されたオーディオ信号を再生及び録音しているときに、デコード装置２が備えるＣＰＵ１６は、ディスク再生装置１が再生したオーディオ信号の符号化方式がＰＣＭ方式であるか否かを判別する（ステップＳ１０）。
【００５６】
ＣＰＵ１６は、オーディオ信号の符号化方式がＰＣＭ方式でないと判別すると（ステップＳ１０にてＮＯ）、ループ処理を実行して、デコード処理部１８によるデコード及びＤＡＣ１９によるアナログ化により生成されたアナログオーディオ信号の出力を継続する。
【００５７】
一方、ＣＰＵ１６は、オーディオ信号の符号化方式がＰＣＭ方式であると判別すると（ステップＳ１０にてＹＥＳ）、オーディオ信号の符号化方式が変更されたとして、ディジタルＩ／Ｆ１７及びアナログＩ／Ｆ２０の入出力動作を切り換える（ステップＳ１１）。
すなわち、ＣＰＵ１６は、ディジタルＩ／Ｆ１７の動作を切り換えて、ディスク再生装置１から送られたディジタルオーディオ信号をそのままＭＤ記録装置３に伝送させる。また、ＣＰＵ１６は、アナログＩ／Ｆ２０の動作を切り換えて、ディスク再生装置１から送られたアナログオーディオ信号をそのままＭＤ記録装置３に伝送させる。
【００５８】
加えて、ＣＰＵ１６は、符号化方式がＰＣＭ方式以外の符号化方式からＰＣＭ方式となったことを検出すると、符号化方式がＰＣＭ方式に変更された旨を、ＭＤ記録装置３が備えるＣＰＵ２２に通知する。
【００５９】
ＣＰＵ２２は、デコード装置２が備えるＣＰＵ１６から符号化方式がＰＣＭ方式に変更された旨の通知を受けると、ＭＤ記録処理部２３を制御して、現在録音中のトラックを削除させ、録音を一旦停止させる（ステップＳ１２）。
【００６０】
ＣＰＵ２２は、録音用のオーディオ信号の入力端を、ユーザＩ／Ｆ２１から入力された指示情報等により予め設定したアナログＩ／Ｆ２４又はディジタルＩ／Ｆ２５に切り換える（ステップＳ１３）。
これにより、ＭＤ記録装置３は、ＰＣＭ方式により符号化されたオーディオ信号を再生して録音するためのシンクロ録音の待機状態となり、アナログＩ／Ｆ２４又はディジタルＩ／Ｆ２５にオーディオ信号が入力されたことに反応して自動的に録音を開始することができる。
また、この際、ＣＰＵ２２は、ディスク再生装置１が備えるＣＰＵ１１に、現在再生中のトラック（楽曲）の先頭からオーディオ信号の再生をやり直す旨の、再生動作を指示する制御情報を送信する。
【００６１】
ＣＰＵ１１は、ＭＤ記録装置３が備えるＣＰＵ２２から受けた制御情報に従って、現在再生中のトラック（楽曲）の先頭にスキップする（ステップＳ１４）。こうしてトラック（楽曲）の先頭から再びオーディオ信号が再生されると、デコード装置２を通じてＭＤ記録装置３が受信したオーディオ信号に同期して、シンクロ録音が開始される（ステップＳ１５）。
これにより、オーディオ信号の符号化方式が、ＰＣＭ方式以外の方式からＰＣＭ方式に変更された場合に、ノイズが録音されることや頭切れを防止して、オーディオ信号を適切に再生及び録音することができる。
【００６２】
以上説明したように、この発明によれば、ディスク再生装置１が再生したオーディオ信号の符号化方式に合わせてデコード装置２やＭＤ記録装置３の動作を切り換えて、ＭＤ等の書込可能な記録媒体にオーディオ信号を記録することができる。また、この際、符号化方式が切り替わった直後のオーディオトラックに記録されたオーディオ信号の録音を、オーディオトラックの先頭からやり直すことで、符号化方式に合わせたデコード処理の切り換えに伴って発生するノイズが録音されることや、楽曲の先頭部分が切れてしまう頭切れが起こることを防止できる。
これにより、符号化方式に合わせてオーディオ信号を適切に再生及び録音することができる。
【００６３】
この発明は、上記実施の形態に限定されず、様々な変形及び応用が可能である。
例えば、上記実施の形態では、ＣＤやＤＶＤといったディスク状の記録媒体から再生したオーディオ信号を、ＭＤといった書込可能な記録媒体に記録するものとして説明したが、これに限定されない。
すなわち、ディスク再生装置１は、記録媒体からオーディオ信号を再生して出力する任意の再生装置であってもよく、ＭＤ記録装置３は、例えばカセットテープやメモリースティック、ＳＤ（Secure Digital）メモリーカードといった、書込可能な記録媒体にオーディオ信号を記録する任意の記録装置であってもよい。
【００６４】
また、上記実施の形態では、ディスク再生装置１と、デコード装置２と、ＭＤ記録装置３とが別個に存在し、ＣＰＵ１１、１６、２２が通信を行うものとして説明したが、これに限定されない。
すなわち、上記実施の形態における構成の全体、あるいは一部を一体化して構成し、１つ、又は２つのＣＰＵが、全体として、上記実施の形態におけるＣＰＵ１１、１６、２２の機能を備えていてもよい。
【００６５】
また、上記実施の形態では、ディスク再生装置１により再生されたオーディオ信号の符号化方式がＰＣＭ方式以外の符号化方式である場合には、ＤＡＣ１９のアナログ化により生成されたアナログオーディオ信号をＭＤ記録装置３に入力するものとして説明したが、これに限定されない。
すなわち、符号化方式がＰＣＭ方式以外の符号化方式である場合にも、デコード装置２が符号化方式をＰＣＭ方式に変換したディジタルオーディオ信号を出力して、ＭＤ記録装置３に送るようにしてもよい。
【００６６】
この場合、デコード装置２のディジタルＩ／Ｆ１７は、図４に示すように、ＤＩＲ（Digital Audio Interface Receiver）３０と、セレクタ３１と、ＤＩＴ（Digital Audio Interface Transmitter）３２と、ディジタル入力端子３３と、ディジタル録音出力端子３４とを備える。
このような構成において、ディジタル録音出力端子３４から出力するディジタルオーディオ信号を、セレクタ３１により、ディジタル入力端子３３から入力されたものと、デコード処理部１８にてＰＣＭ方式に変換されてＤＩＴ３２を介して受信したものとで切り換える。
これにより、ディスク再生装置１により再生されたオーディオ信号の符号化方式が変更されても、ＭＤ記録装置３の入力端をディジタルＩ／Ｆ２５としたままで録音を継続することができる。
【００６７】
また、オーディオ信号の符号化方式は、ＰＣＭ方式とＤＴＳ方式に限定されるものではなく、例えばドルビーディジタル方式や、ＳＤＤＳ（Sony Dynamic Digital Sound）方式といった、任意の符号化方式であってもよい。
【００６８】
【発明の効果】
以上の説明のように、この発明によれば、オーディオ信号に施された符号化方式に合わせてデコード処理を切り換えると共に、デコード処理の切り換え時に発生するノイズが録音されることや、楽曲等の先頭部分が切れることを防止できる。
これにより、オーディオ信号を、その符号化方式に合わせて適切に再生及び録音することができる。
【図面の簡単な説明】
【図１】この発明の実施の形態に係るオーディオ再生録音システムの構成を例示する図である。
【図２】オーディオ再生録音システムの動作を説明するためのフローチャートである。
【図３】オーディオ再生録音システムの動作を説明するためのフローチャートである。
【図４】この発明の実施の形態に係るオーディオ再生録音システムの変形例を説明するための図である。
【図５】従来のオーディオ再生録音システムの構成を示す図である。
【符号の説明】
１    ディスク再生装置
２    デコード装置
３    ＭＤ記録装置
１０、１５、２１、
１１０、１１５    ユーザＩ／Ｆ（インタフェース）
１１、１６、２２、
１１１、１１６    ＣＰＵ
１２    ディスク再生処理部
１３、２０、２４、
１１３、１１８    アナログＩ／Ｆ（インタフェース）
１４、１７、２５、
１１４、１１９    ディジタルＩ／Ｆ（インタフェース）
１８    デコード処理部
１９    ＤＡＣ
２３    ＭＤ記録処理部
１０１    再生装置
１０２    録音装置
１１２    再生処理部
１１７    録音処理部
【図１】
0003776689.tif 000002
【図２】
0003776689.tif 000003
【図３】
0003776689.tif 000004
【図４】
0003776689.tif 000005
【図５】
0003776689.tif 000006